(57)【要約】【課題】容易に陰極を交換することができ、且つ、陰極を長期に渡って損傷なく使用することができる電解セル及び電解槽を提供する。【解決手段】電解セル３は、陽極室２２と陰極室３２とが隔壁５０を挟んで配置されており、陰極室３２には、陰極３８と、互いに対向する一対の表面４０ａ及び裏面４０ｂを有し、表面４０ａが陰極３８と対向して配置される集電板４０と、陰極３８と集電板４０との間に設けられ、導電性を有するマットレス４４とが設けられており、少なくとも陰極３８の一端部が、集電板４０の縁部４０ｃを跨いで集電板４０の裏面４０ｂ側に折り込まれている。【選択図】図４
2014037586.tif 000002
【特許請求の範囲】
【請求項１】
陽極室と陰極室とが隔壁を挟んで配置された電解セルであって、
前記陰極室には、
陰極と、
前記陰極と対向する第１面及び前記隔壁と対向する第２面を有する集電板と、
前記陰極と前記集電板の前記第１面との間に設けられ、導電性を有する弾性体とが設けられており、
前記陰極の周縁部の少なくとも一部が、前記集電板の縁部を跨いで該集電板の前記第２面側に折り込まれていることを特徴とする電解セル。
【請求項２】
前記陰極の全周縁部が、前記集電板の縁部を跨いで該集電板の前記第２面側に折り込まれていることを特徴とする請求項１に記載の電解セル。
【請求項３】
前記陰極が前記集電板の前記第２面側に折り込まれる長さは、５ｍｍ以上２０ｍｍ以下であることを特徴とする請求項１又は２に記載の電解セル。
【請求項４】
前記陰極室には、前記隔壁と前記集電板の前記第２面側との間に配設され、前記集電板を当該陰極室内に支持固定する支持体が設けられていることを特徴とする請求項１〜３のいずれか一項記載の電解セル。
【請求項５】
前記支持体がリブであることを特徴とする請求項４記載の電解セル。
【請求項６】
前記弾性体がマットレスであることを特徴とする請求項１〜５のいずれか一項記載の電解セル。
【請求項７】
請求項１〜６のいずれか一項に記載の電解セルがイオン交換膜を介して２つ以上直列に連結されていることを特徴とする電解槽。
【発明の詳細な説明】
【技術分野】
【０００１】
本発明は、電解セル及び電解槽に関するものである。
【背景技術】
【０００２】
アルカリ金属塩電気分解とは、食塩水等のアルカリ金属塩化物水溶液を電気分解（以下、電解）して、高濃度のアルカリ金属水酸化物、水素、塩素などを製造する方法である。その方法としては、水銀法や、隔膜法による電解が挙げられるが、近年では、電力効率の良いイオン交換膜法が主に用いられている。
【０００３】
イオン交換膜法では、陽極と陰極を備えた電解セルを、イオン交換膜を介して多数並べた電解槽を用いて電解を行う。電解セルは、陰極を取り付けた陰極室と、陽極を取り付けた陽極室が、隔壁（背面板）を介して、背中合わせに配置された構造を有している。電解セルでは、陽極室にアルカリ金属塩化物水溶液を供給し、陰極室にアルカリ金属水酸化物を供給して、電解することで、陽極室では塩素ガスを生成し、陰極室ではアルカリ金属水酸化物や水素ガスを生成する。
【０００４】
また、近年では、電力原単位をさらに向上させるため、イオン交換膜と陰極を接触させて電解を行うゼロギャップ電解が主流となってきている。例えば、特許文献１には、ゼロギャップ電解セルの構造が開示されている。通常、ゼロギャップ電解セルの陽極室内には、リブ、陽極が配置され、陰極室内には、リブ、集電板（導電性プレート）、マットレス、陰極が配置されている。陰極室内では、集電板、マットレス、陰極の順でこれらが配置されており、クッション性を有するマットレスにより陰極を押圧することで、電解時に、陰極をオン交換膜に接触させることが出来る。
【０００５】
特許文献２には、従来公知な陰極を固定する方法として、テフロンピンを使用する方法や、溶接する方法が開示されている。溶接する方法としては、ニッケル製のテープを使い、陰極の周縁部を陰極室枠体のシール面上にスポット溶接して固定する方法がある。具体的には、陰極を陰極室枠体のシール面上にのせ、さらに、その上にニッケル製のテープをのせて、スポット溶接することで、陰極を固定している。
【先行技術文献】
【特許文献】
【０００６】
【特許文献１】特許第４４５３９７３号公報
【特許文献２】特開２０１０−１１１９４７号公報
【発明の概要】
【発明が解決しようとする課題】
【０００７】
上述のように、ニッケル製のテープを使用し、シール面上でスポット溶接により陰極を固定する方法では、陰極室枠体のシール面の腐食、陰極更新時のシール面の減肉、作業効率が悪いなどといった問題がある。
【０００８】
また、電解セルでは、内容物が漏れないようにするため、電解セルの外周部にあたるシール面にガスケットが貼られる。この場合、図６に示すように、電解セル１００のシール面１０２上に陰極１０４やニッケル製のテープ１０６が貼付されて固定されているため、凹凸が存在し、この部分に電解液が溜まりやすく、条件によってはシール面１０２が腐食（隙間腐食）されることがある。また、ガスケット交換時にガスケット１０８と共にニッケル製のテープ１０６が剥がれ、陰極１０４を引き裂くことがある。
【０００９】
また、陰極１０４を交換する際には、古い陰極１０４を剥がし、陰極室１１０の枠体１０１のシール面１０２を洗浄し、新しい陰極をニッケル製のテープ１０６を用いてシール面１０２上にスポット溶接で固定する。溶接により固定するには、シール面１０２表層の酸化物を除去する必要がある。酸化物の除去には、シール面１０２の表層を削る必要があり、シール面１０２の板材が減肉するため、あまり好ましくはない。また、このように、従来の方法では、陰極の交換には多くの手間と時間がかかるといった問題があった。
【００１０】
本発明は、上記課題を解決するためになされたものであり、容易に陰極を交換することができ、且つ、長期に渡って損傷なく使用することができる電解セル及び電解槽を提供することを目的とする。
【課題を解決するための手段】
【００１１】
本発明者らは、上記課題を解決すべく鋭意研究を重ねた結果、陰極の端部に着目し、陰極部の周縁部に所定の処理を施すことにより、容易に陰極を交換することができ、長期に渡って損傷なく使用することが出来ることを発見し、本発明に至った。すなわち、本発明は以下の通りである。
【００１２】
本発明に係る電解セルは、陽極室と陰極室とが隔壁を挟んで配置された電解セルであって、陰極室には、陰極と、陰極と対向する第１面及び隔壁と対向する第２面を有する集電板と、陰極と集電板の第１面との間に設けられ、導電性を有する弾性体とが設けられており、陰極の周縁部の少なくとも一部が、集電板の縁部を跨いで該集電板の第２面側に折り込まれていることを特徴とする。
【００１３】
一実施形態においては、陰極の全周縁部が、集電板の縁部を跨いで該集電板の第２面側に折り込まれている。
【００１４】
一実施形態においては、陰極が集電板の第２面側に折り込まれる長さは、５ｍｍ以上２０ｍｍ以下である。
【００１５】
一実施形態においては、陰極室には、隔壁と集電板の第２面側との間に配設され、集電板を当該陰極室内に支持固定する支持体が設けられている。
【００１６】
一実施形態においては、支持体がリブである。
【００１７】
一実施形態においては、弾性体がマットレスである。
【００１８】
本発明に係る電解槽は、上記の電解セルがイオン交換膜を介して２つ以上直列に連結されていることを特徴とする。
【発明の効果】
【００１９】
本発明によれば、容易に陰極を交換することができ、且つ、陰極を長期に渡って損傷なく使用することができる。
【図面の簡単な説明】
【００２０】
【図１】一実施形態に係る電解槽を模式的に示す正面図である。
【図２】一実施形態に係る電解セルを示す正面図である。
【図３】図２に示す電解セルの断面構成を示す図である。
【図４】図３に示す電解セルの一部を拡大して示す断面図である。
【図５】他の実施形態に係る電解セルの断面構成を示す図である。
【図６】従来の電解セルの断面構成を示す図である。
【発明を実施するための形態】
【００２１】
以下、添付図面を参照して、本発明の好適な実施形態について詳細に説明する。なお、図面の説明において同一又は相当要素には同一符号を付し、重複する説明は省略する。以下の本実施形態は、本発明を説明するための例示であり、本発明を以下の内容に限定する趣旨ではない。また、添付図面は実施形態の一例を示したものであり、形態はこれに限定して解釈されるものではない。本発明は、その要旨の範囲内で適宜に変形して実施できる。なお、図面中上下左右等の位置関係は、特に断らない限り、図面に示す位置関係に基づくものとし、図面の寸法比率は図示の比率に限られるものではない。
【００２２】
図１は、一実施形態に係る電解槽を模式的に示す正面図である。図１に示すように、電解槽１は、複数の電解セル３がイオン交換膜５（図４参照）を介してプレス器７により直列に接続されて構成されている複極式イオン交換膜法電解槽である。電解槽１では、両端に位置する電解セル３の一方に陽極端子９が接続されており、他方に陰極端子１１が接続されている。
【００２３】
電解槽１における電解は、後述する電解セル３の陽極室２２（図３参照）と、隣接する電解セル３の陰極室３２（図３参照）との間のイオン交換膜５において分離されることで行われる。例えばナトリウムイオンは、電解セル３の陽極室２２から、イオン交換膜５を通過して、隣接する電解セル３の陰極室３２へ移動することになり、電解中の電流は、直列に連結した電解セル３の方向に沿って流れることになる。
【００２４】
イオン交換膜５は、特に限定されず、公知のものを用いることができる。例えば、塩化アルカリ等の電気分解により塩素とアルカリを製造する場合、耐熱性及び耐薬品性等に優れるという観点から、含フッ素系イオン交換膜が好ましい。含フッ素系イオン交換膜としては、電解時に発生する陽イオンを選択的に透過する機能を有し、かつイオン交換基を有する含フッ素系重合体を含むもの等が挙げられる。ここでいうイオン交換基を有する含フッ素系重合体とは、イオン交換基、又は、加水分解によりイオン交換基となり得るイオン交換基前駆体、を有する含フッ素系重合体をいう。例えば、フッ素化炭化水素の主鎖からなり、加水分解等によりイオン交換基に変換可能な官能基をペンダント側鎖として有し、かつ溶融加工が可能な重合体等が挙げられる。
【００２５】
続いて、電解セル３について詳細に説明する。図２は、一実施形態に係る電解セルを示す正面図であり、陰極側から見た図である。図３は、図２に示す電解セルの断面構成を示す図である。図３においてリブ（支持体）４２は図示しない。図４は、図３に示す電解セルの一部を拡大して示す断面図である。各図に示すように、電解セル３は、陽極部２０と、陰極部３０と、陽極部２０と陰極部３０（陽極室２２と陰極室３２）とを隔てる隔壁５０を備えている。陽極部２０と陰極部３０とは、電気的に接続されている。電解セル３は、ゼロギャップ電解セルである。
【００２６】
陽極部２０は、陽極室２２を有している。陽極室２２は、枠体２４により画成されている。枠体２４上部の表面には、ガスケット２６が設けられている。陽極室２２には、陽極２８が設けられている。陽極２８は、電解セル３の一側面側に設けられている。陽極２８は、電解セル３の一側面側に設けられており、チタン基材の表面にルテニウム、イリジウムを成分とする酸化物を被覆したいわゆるＤＳＡ等の金属電極を用いることができる。
【００２７】
陰極部３０は、陰極室３２を有している。陰極室３２は、枠体３４により画成されている。枠体３４上部の表面（シール面）３４ａには、ガスケット３６が設けられている。陰極室３２には、陰極３８と、集電板４０と、リブ（支持体）４２と、マットレス（弾性体）４４とが設けられている。
【００２８】
陰極３８は、電解セル３の他側面側に設けられている。ゼロギャップ電解セルに使用できる陰極３８としては、線径が細く、メッシュ数の小さい陰極が柔軟性も高く好ましい。このような陰極基材は、通常公知なものを使用できる。陰極３８は、例えば、線径０．１ｍｍ〜０．５ｍｍで、目開きが２０メッシュから８０メッシュ程度の範囲であればよい。
【００２９】
陰極コーティングとしては、貴金属または、貴金属酸化物のコーティングで薄いことが好ましく、さらに貴金属に加えて希土類を含んでいてもよい。コーティングが厚くなると、陰極の柔軟性がなくなり、イオン交換膜５が局所的に傷つくことがある。コーティングを薄くするために、活性の高い貴金属または、貴金属酸化物のコーティングが好ましい。そのため、コーティング層の厚みは０．５μｍから５０μｍが好ましく、さらに好ましくは、１μｍから１０μｍである。
【００３０】
集電板４０は、陰極３８に沿って配置されている。集電板４０は、陰極３８の集電効果を高めるためのものである。集電板４０は、互いに対向する一対の表面（第１面）４０ａと裏面（第２面）４０ｂとを有している。集電板４０は、表面４０ａが陰極３８と対向して配置されている。
【００３１】
集電板４０は、マットレス４４及び陰極３８に電気を伝導すると共に、マットレス４４及び陰極３８から押圧される荷重を支える。また、集電板４０は、陰極３８から発生する水素ガスを隔壁５０側に通過させる機能を有する。そのため、集電板４０としては、エクスパンドメタルや打ち抜き多孔板などが好ましい。集電板４０に設けられる孔の開口率は、陰極３８から発生した水素ガスを隔壁５０側に抜き出すために、４０％以上あることが好ましい。集電板４０の材質は、耐食性の観点から、ニッケル、ニッケル合金、ステンレススチール、鉄などが利用できるが、導電性の観点からニッケルが好ましい。集電板４０としては、ファイナイトギャップの電解セルで用いた陰極をそのまま利用することもできる。また、集電板４０としては、エクスパンドメタルに酸化ニッケルをプラズマ溶射により被覆したファイナイトギャップ用の陰極等が利用できる。
【００３２】
リブ４２は、陰極室３２内に位置し、隔壁５０と集電板４０の裏面４０ｂ側との間に配設されている。リブ４２は、集電板４０を支持固定する。リブ４２は、隔壁５０と集電板４０とのそれぞれに、溶接固定されている。
【００３３】
マットレス４４は、陰極３８と集電板４０の表面４０ａ側との間に配置されている。ゼロギャップの電解セル３では、陽極２８の剛性を確保することにより、イオン交換膜５を押しつけても変形し難い構造されている。一方で、電解セル３では、陰極３８側を柔軟な構造とすることにより、電解セル３の製作精度上の公差や電極の変形等による凹凸を吸収して、ゼロギャップを保つ構造としている。マットレス４４は、陰極３８側を柔軟な構造とするために用いられている。
【００３４】
マットレス４４は、電気を陰極３８に伝える機能と、陰極３８から発生した水素ガスを集電板４０側に通過させる機能を有する。マットレス４４は、イオン交換膜５に接する陰極３８に対して、イオン交換膜５を損傷させない程度の適切で且つ均一な圧力を加える。これにより、陰極３８は、イオン交換膜５に密着する。
【００３５】
マットレス４４としては、従来公知のものが使用できる。マットレス４４の線径としては、０．０５ｍｍ以上０．２５ｍｍ以下のものが好適に用いられる。マットレス４４の線径が０．０５ｍｍより細いと、マットレスが潰れやすく、また、マットレス４４の線径が０．２６ｍｍより太いと、マットレス４４の弾性力が強く、電解時に押し付け圧の増加により、イオン交換膜５の性能に影響を及ぼす。さらに好ましくは、０．０８ｍｍ以上０．１５ｍｍ以下の線径のマットレス４４が良い。マットレス４４の材質は、導電性、耐アルカリ性の観点からニッケルが使用される。例えば、線径０．１ｍｍ程度のニッケル製ワイヤーを織ったものを波付け加工したものでよい。
【００３６】
マットレス４４は、電解中に電解セル３の下端に垂れ下がるのを防止するため、通常公知な方法、例えば、スポット溶接や、樹脂製のピンや、金属製のワイヤー等で、集電板４０に固定されている。マットレス４４は、導電性の観点から、集電板４０に部分的にスポット溶接して固定することが好ましい。なお、マットレス４４と陰極３８との間には、導電性シートを介在させてもよい。
【００３７】
隔壁５０は、陽極室２２と陰極室３２（陽極部２０と陰極部３０）の間に配置されている。隔壁５０は、セパレータと称されることもあり、陽極室２２と陰極室３２とを区画するものである。隔壁５０は、電解用のセパレータとして公知のものを使用することができ、例えば、陰極側にニッケル、陽極側にチタンからなる板を溶接した隔壁等が挙げられる。
【００３８】
続いて、陰極３８の取り付け構造及び取り付け方法について詳細に説明する。図４に示すように、陰極３８は、その上端部（周縁部の一部）が集電板４０の裏面４０ｂ側に折り込まれている。具体的には、陰極３８の上端部は、枠体３４と集電板４０の縁部４０ｃとの間に形成される隙間Ｓに挿入され、集電板４０の縁部４０ｃを跨いで裏面４０ｂ側に折り返される。枠体３４と集電板４０の縁部４０ｃとの間に形成される隙間Ｓは、１ｍｍ以上３ｍｍ以下であることが好ましい。隙間Ｓが１ｍｍより小さいと、陰極３８を入れ込むことが困難となる。また、隙間Ｓが３ｍｍより大きくなると、イオン交換膜５の収縮により、この部分にイオン交換膜５が落ち込み、イオン交換膜５を損傷させるおそれがある。
【００３９】
上記の構造を実現するために、陰極３８は、電解セル３の通電部よりも大き目に切断される。陰極３８が集電板４０の裏面４０ｂに折り込まれる部分の寸法、すなわち通電部よりも長い部分を、以下折り込み長さＬとする。折り込み長さＬは、５ｍｍ以上２０ｍｍ以下であることが好ましい。折り込み長さＬが２０ｍｍより長いと、入れ込む部分の陰極３８が完全に入り込まなくなる。また、折り込み長さＬが５ｍｍより短いと、陰極３８が集電板４０で固定されず、陰極３８が集電板４０から外れ易くなる。
【００４０】
また、図４には、陰極３８の上部の構成を示しているが、陰極３８は、下端部も集電板４０の裏面４０ｂ側に折り込まれていてもよい。すなわち、陰極３８の両端部（全周縁部）が集電板４０の裏面４０ｂ側に折り込まれる構成であってもよい。陰極３８の上端部を集電板４０の裏面４０ｂ側に折り込むことにより、陰極３８を固定することができる。また、陰極３８の下端部を集電板４０の裏面４０ｂ側に折り込みことにより、陰極３８をより強く集電板４０に固定すると共に、マットレス４４の垂れ下がりを防ぐことができる。さらに好ましくは、陰極３８の外周縁部の全てを集電板４０の裏面４０ｂ側へ折り込むことで、陰極３８をさらに強固に固定することができる。
【００４１】
集電板４０に陰極３８を取り付ける際、陰極３８は、角部（コーナー部）を切り欠いておくことが好ましい。角部を切り欠くことにより、角部で陰極３８を入れ込むことができる。角部に対角の切れ込みを入れ、入れ込むことも可能ではあるが、このように切断した場合には、陰極３８がここを起点として裂けやすくなるため、好ましくない。
【００４２】
陰極３８を集電板４０の裏面４０ｂ側に折り込むための治具としては、通常公知なものを使用することができる。具体的には、ヘラ、回転ローラーで陰極３８の端部を集電板４０のエッジに沿って電解セル３内に押し込むことで、陰極３８を集電板４０の裏面４０ｂ側に折り込み、固定することができる。作業性の観点から、陰極３８を折り込む治具は回転ローラーが好ましい。回転ローラーの刃の厚みとしては、０．２ｍｍ以上が好ましい。０．２ｍｍより厚みが小さくなると、剛性を失い、陰極３８を入れ込むことが困難となる。また、集電板４０と枠体３４（ガスケット３６のシール面３４ａ）の隙間Ｓよりも厚みが大きくなると、回転ローラーそのものが入らなくなるため、陰極３８を入れ込めない。そのため、さらに好ましくは、０．２ｍｍから２ｍｍの範囲である。回転ローラーの径としては、特に制限はなく、通常、直径１００ｍｍ程度のものが操作しやすい。
【００４３】
なお、陰極３８を固定するための前工程として、陰極３８の端部に曲げ形状をつけることが好ましい。陰極３８の端部に曲げ形状をつけることにより、電解時、通電面の外周部の陰極３８がイオン交換膜５に接触しなくなること防止することができる。曲げ形状としては、Ｒ＝２ｍｍ以上でＲ＝６ｍｍ以下であることが好ましい。Ｒ＝２ｍｍよりも小さいと、曲げ形状が急峻となり、弾性を有さず、この部分でイオン交換膜５を傷つけることがある。Ｒ＝６ｍｍよりも大きいと、曲げ形状が緩やかすぎ、電解時、通電面の外周部の陰極３８がイオン交換膜５に接触しなくなることがあるため、好ましくない。
【００４４】
以上説明したように、本実施形態では、陰極３８の端部が、集電板４０の縁部４０ｃを跨いで集電板４０の裏面４０ｂ側に折り込まれている。このような構成により、容易に陰極３８を交換することができ、且つ、電解セル３を長期に渡って損傷なく使用することができる。
【００４５】
本発明は、上記実施形態に限定されるものではない。例えば、上記実施形態に加えて、図５に示すように、陰極３８を、ガスケット３６と集電板４０とにより挟持される構成であってもよい。このような構成とすることにより、プレス器７により電解セル３が直列に接続された際に、シール面３４に接していないガスケット３６の先端でもイオン交換膜５を押圧することができ、ガスケット３６とイオン交換膜５の間に苛性ソーダが侵入することを防止し、イオン交換膜５の損傷を抑制することができる。
【実施例】
【００４６】
以下の実施例により本実施形態を更に詳しく説明するが、本実施形態は以下の実施例により何ら限定されるものではない。
【００４７】
電解槽として、横幅が２４００ｍｍ、高さが１２００ｍｍの電解セルを、２５個直列に並べ、両端には、陽極室のみを有する電解セル（陽極ターミナルセル）と、陰極室のみを有する電解セル（陰極ターミナルセル）を配置し、陽極ターミナルセルに陽極端子、陰極ターミナルセルに陰極端子を配置した。各電解セルの開口部の周縁部には、陽極側ガスケットと陰極側ガスケットを接着剤で貼り付け、各電解セルの間に、イオン交換膜ＡＣＩＰＬＥＸ（登録商標）Ｆ６８０１を挟んで電解槽を組み立てた。
【００４８】
陽極は、エクスパンデッドメッシュ加工したチタン板の表面に、ルテニウム、イリジウム、チタンを成分とする酸化物を被覆することにより製作し、陰極はニッケル製ファインメッシュ基材にルテニウムの酸化物を被覆したものを用いた。
【００４９】
各電解セルを並べた電解槽の陽極室に、陽極液として３００ｇ／Ｌの塩水を供給し、陰極室には、排出付近で、苛性ソーダ濃度が３２重量％となるように希薄苛性ソーダを供給し、電解温度９０℃、陽極室側ガス圧を４０ｋＰａ、陰極室側ガス圧を４４ｋＰａ、電流密度６ｋＡ／ｍ２で１ヶ月間電解した。また、陽極液の排出付近の塩水のｐＨが２となるように、供給する塩水に塩酸を添加して電解を行った。
【００５０】
［実施例１］
陰極の通電部の外周部をＲ＝４ｍｍで曲げ形状をつけた。さらに、折り込み長さを１０ｍｍとして、直径１００ｍｍの回転ローラーで陰極を、集電板裏面へ折り込んで固定した（図４に示される構成）。６ｋＡ／ｍ２で１年間運転を行い、イオン交換膜を外して観察したが、損傷は見られなかった。さらに、陰極シール面を観察したが、腐食はまったく見られなかった。
【００５１】
［比較例１］
幅４ｍｍ、厚み０．０８ｍｍのニッケル製のテープを用いて、スポット溶接で陰極をシール面に固定した（図６に示される構成）。６ｋＡ／ｍ２で１年間運転を行い、イオン交換膜を外して観察したが、損傷は見られなかった。さらに、ニッケル製のテープを剥がしシール面を観察したところ、下部シール面に孔食と見られる直径０．５ｍｍの穴が３カ所見つかった。
【産業上の利用可能性】
【００５２】
本発明の電解セル及び電解槽は、塩素とアルカリ金属水酸化物を生産するためのイオン交換膜法アルカリ電解の分野をはじめとする幅広い分野で好適に利用できる。
【符号の説明】
【００５３】
１…電解槽、２２…陽極室、３２…陰極室、３８…陰極、４０…集電板、４４ａ…表面（第１面）、４４ｂ…裏面（第２面）、４４ｃ…縁部、４２…リブ（支持体）、４４…マットレス（弾性体）。
【図１】
2014037586.tif 000003
【図２】
2014037586.tif 000004
【図３】
2014037586.tif 000005
【図４】
2014037586.tif 000006
【図５】
2014037586.tif 000007
【図６】
2014037586.tif 000008